(57)【要約】【課題】ゲスト端末を自基地局に登録することによりゲスト端末の公衆基地局から自基地局へのハンドオーバを実現するようにした基地局（フェムトセル）を提供する。【解決手段】本発明の基地局（フェムトセル）１００は、登録済み端末のみに通信を許可する制限機能を有する移動体通信システムの基地局であり、登録済み端末２００から、公衆基地局４００に接続されていて自基地局には登録されていないゲスト端末３００の識別子を含む自基地局へのハンドオーバ要求を取得する取得部（アンテナ１１０、無線通信送受信部１２０、制御部１５０）と、ゲスト端末３００の識別子を自基地局に登録し、前記ハンドオーバ要求を、自基地局の情報（フェムトセル情報）を付加して公衆基地局４００経由でゲスト端末３００に送信するように制御する制御部１５０とを備える。【選択図】図２
2010177924.tif 000002
【特許請求の範囲】
【請求項１】
登録済み端末のみに通信を許可する制限機能を有する移動体通信システムの基地局であって、
前記登録済み端末から、公衆基地局に接続されていて自基地局には登録されていないゲスト端末の識別子を含む自基地局へのハンドオーバ要求を取得する取得部と、
前記ゲスト端末の識別子を自基地局に登録し、前記ハンドオーバ要求を、自基地局の情報を付加して前記公衆基地局経由で前記ゲスト端末に送信するように制御する制御部と、
を備えることを特徴とする基地局。
【請求項２】
登録済み端末のみに通信を許可する制限機能を有する移動体通信システムの基地局であって、
前記登録済み端末から、公衆基地局に接続されていて自基地局には登録されていないゲスト端末の識別子を取得する取得部と、
前記ゲスト端末の識別子を自基地局に登録し、自基地局の情報を前記公衆基地局経由で前記ゲスト端末に送信するように制御する制御部と、
を備えることを特徴とする基地局。
【発明の詳細な説明】
【技術分野】
【０００１】
本発明は、フェムトセルに代表される基地局であって、公衆基地局に接続されていて自基地局には登録されていないゲスト端末を自基地局に登録し得るようにした基地局に関するものである。
【背景技術】
【０００２】
無線通信システムにおいて、フェムトセルと呼ばれる基地局が知られている（非特許文献参照）。フェムトセルとは、商用ブロードバンド回線（光、ＡＤＳＬなど）を経由してセルラー網に接続されている超小型の基地局のことをいう。従来の携帯電話のセル、つまり１つの基地局でカバーする範囲は、半径１ｋｍ〜数ｋｍ程度のエリアであるが、フェムトセルでカバーできるエリアは、例えば家の中や小さいオフィス内など、せいぜい半径数ｍ〜数十ｍ程度のエリアである。また、従来のセルを構成する基地局（公衆基地局）を設置する際には認可が必要であるが、フェムトセルの設置情報はキャリアが包括的に取得するため、フェムトセルを実際に設置するユーザは、認可申請する必要はない。フェムトセルは、サービス範囲をピンポイントに広げることが可能である点や、設置が個人でも可能である点で、今後普及が進むものと思われる。
このようなフェムトセルを個人ユーザが購入して例えば自宅に設置し、所定の携帯電話（無線通信端末；以下、端末ともいう）をフェムトセルに登録した場合、フェムトセルが提供するカバーエリアに入った登録済み端末は、当該フェムトセルに無線接続することが可能になる。
【０００３】
従来の基地局（公衆基地局）は、「Neighbor List （周辺基地局のリスト）」を端末に送信し、それに基づいて端末は周辺基地局をサーチしてその結果を公衆基地局へレポートし、公衆基地局は、当該レポート結果に基づき、感度の強い方の公衆基地局に端末をハンドオーバさせるように制御する。一方、フェムトセルは、ユーザが自由に設置できるので、公衆基地局のようにキャリアによる管理ができない。そのため、公衆基地局から端末に送信される「Neighbor List 」には、フェムトセルのチャネル情報は記載されていない。
【０００４】
フェムトセルの運用方式としては、公衆基地局と同一チャネルで信号を送信する方法と公衆基地局とは異なるチャネルで信号を送信する方法がある。前者の場合は、端末はフェムトセルを認識することができるが、後者の場合は、端末はフェムトセルを認識(サーチ)することができない。したがって、後者の場合には、公衆基地局に接続している端末は、フェムトセルへハンドオーバすることができない。
そこで、後者の運用方式が適用されるフェムトセルについては、フェムトセルユーザ（フェムトセルの設置者やその家族等）が、端末のＰＲＬ（サーチするチャネルのリスト）にフェムトセルのチャネル情報を書き込む登録を行って運用する方法が検討されている。この方法を用いると、フェムトセルに登録した端末（登録済み端末）は、当該フェムトセルの存在を認識して、当該フェムトセルにハンドオーバできるようになる。
【０００５】
端末が公衆基地局のカバーエリアおよびフェムトセルのカバーエリアの双方に入っている状況の場合、一般的に、公衆基地局からフェムトセルにハンドオーバさせることにより、「受信電波状況が改善される」、「通信料金が安くなる」等のメリットが得られる。そのため、フェムトセルユーザが、自宅に設置したフェムトセルを友人や親戚などのゲストに使わせる状況が考えられる。その場合、フェムトセルがユーザの利用制限機能により、利用者を制限（登録ユーザに制限）している場合、フェムトセルにゲスト端末を登録（ユーザ登録）する必要がある。このゲスト端末の登録は、パーソナルコンピュータ等を用いてネットワーク経由でフェムトセルにアクセスして登録する方法や、登録済みの無線通信端末を用いてゲスト端末をフェムトセルに登録する方法が考えられる。
【先行技術文献】
【非特許文献】
【０００６】
【非特許文献１】http://www.nttdocomo.co.jp/info/news_release/page/070710_01.html
【発明の概要】
【発明が解決しようとする課題】
【０００７】
上述した方法を用いて、ゲスト端末をフェムトセルにユーザ登録した場合、フェムトセルのカバーエリア内にあるゲスト端末は、フェムトセルにアクセスしてそのフェムトセル経由で通信を行うことができる。しかしながら、ゲスト端末のＰＲＬには、当該フェムトセルのチャネル情報が無いため、フェムトセルのチャネルをサーチすることが出来ず、公衆基地局経由で通信中のゲスト端末は、公衆基地局からフェムトセルにハンドオーバすることができない。
【０００８】
本発明は、ゲスト端末を自基地局に登録するとともにゲスト端末の公衆基地局から自基地局へのハンドオーバを実現するようにした基地局を提供することを目的とする。
【課題を解決するための手段】
【０００９】
上記目的を達成するため、本発明の請求項１に係る基地局は、登録済み端末のみに通信を許可する制限機能を有する移動体通信システムの基地局であって、前記登録済み端末から、公衆基地局に接続されていて自基地局には登録されていないゲスト端末の識別子を含む自基地局へのハンドオーバ要求を取得する取得部と、前記ゲスト端末の識別子を自基地局に登録し、前記ハンドオーバ要求を、自基地局の情報を付加して前記公衆基地局経由で前記ゲスト端末に送信するように制御する制御部と、を備えることを特徴とする。
【００１０】
上記目的を達成するため、本発明の請求項２に係る基地局は、登録済み端末のみに通信を許可する制限機能を有する移動体通信システムの基地局であって、前記登録済み端末から、公衆基地局に接続されていて自基地局には登録されていないゲスト端末の識別子を取得する取得部と、前記ゲスト端末の識別子を自基地局に登録し、自基地局の情報を前記公衆基地局経由で前記ゲスト端末に送信するように制御する制御部と、を備えることを特徴とする。
【発明の効果】
【００１１】
本発明によれば、ゲスト端末が自基地局に登録されるので、ゲスト端末の公衆基地局から自基地局へのハンドオーバを実現することができる。
【図面の簡単な説明】
【００１２】
【図１】本発明の一実施形態に係る基地局を含む無線通信システムの全体構成を示す図である。
【図２】本発明の移動体通信システムの基地局であるフェムトセルの構成を示すブロック図である。
【図３】本発明の移動体通信システムにおける登録済み端末およびゲスト端末の構成を示すブロック図である。
【図４】本発明の移動体通信システムにおける登録済み端末によるゲスト端末の登録処理１を示すフローチャートである。
【図５】図４のステップＳ１０２のゲスト端末のハンドオーバ要求操作およびステップＳ１０３のゲスト端末ハンドオーバ要求の送信を示すフローチャートである。
【図６】（ａ），（ｂ）は本発明の移動体通信システムにおける登録済み端末のゲスト登録時の表示画面例を示す図である。
【図７】本発明の移動体通信システムにおける登録済み端末によるゲスト端末の登録処理２を示すフローチャートである。
【発明を実施するための形態】
【００１３】
以下、本発明を実施するための最良の形態を図面に基づき詳細に説明する。
図１は本発明の一実施形態に係る基地局を含む無線通信システムの全体構成を示す図である。この移動体通信システムは、図１に示すように、移動体通信システムの基地局であるフェムトセル１００と、登録済み端末２００と、ゲスト端末３００と、フェムトセル１００のカバーエリアを包含するカバーエリアを有する公衆基地局４００と、フェムトセルユーザ回線５００を介してフェムトセルに接続されるとともに移動体通信システムの一例であるＥＶ−ＤＯコアネットワーク（セルラー網）６００を介して公衆基地局４００に接続されるゲートウエイ７００と、ゲートウエイ７００に接続されるサーバ８００とを備える。
【００１４】
本発明は、以下の事項を前提としている。
（１）本発明は、登録済み端末のみに通信を許可する制限機能を有し、実際に通信を許可する端末を制限しているフェムトセルに対して適用する。
（２）フェムトセル１００と公衆基地局４００とは、別チャネルで信号を送受信しているものとする。
（３）フェムトセル購入者の端末やその家族の端末など、既にフェムトセル１００に登録済みであり、定常的にフェムトセル１００を使用しているユーザの端末を登録済み端末と定義する。
（４）フェムトセル１００に未登録ではあるが、フェムトセル購入者の親戚や友人など、一時的にフェムトセルを利用する（させる）可能性のあるユーザをゲストユーザとし、ゲストユーザが使用している端末をゲスト端末３００と定義する。以下のハンドオーバ（このハンドオーバは、通信中の基地局を公衆基地局４００からフェムトセル１００に切り換えるハンドオーバと、待ち受け中の基地局を公衆基地局４００からフェムトセル１００に切り換えるハンドオーバとを含む）を行う際には、ゲスト端末３００は、まず図１に例示するように公衆基地局４００に接続されているものとする。
（５）フェムトセル１００は、例えばフェムトセルユーザ（フェムトセル設置者）の自宅内に設置されているものとする。
（６）ゲスト端末３００をフェムトセルに登録する際には、登録済み端末２００およびゲスト端末３００は、フェムトセル１００の圏内（カバーエリア内）にあるものとする。
なお、以下においては、移動体通信システムを「ＣＤＭＡ２０００  １×ＥＶ−ＤＯ」の場合を例に挙げて説明する。
【００１５】
図２は本発明の移動体通信システムの基地局であるフェムトセル１００の構成を示すブロック図である。フェムトセル１００は、アンテナ１１０と、無線通信送受信部１２０と、有線通信送受信部１３０と、記憶部１４０と、制御部１５０とを備える。
【００１６】
無線通信送受信部１２０は、アンテナ１１０経由で端末（登録済み端末２００およびゲスト端末３００）と無線通信を行う。また、他の基地局（公衆基地局４００）と無線通信を行うように構成してもよい。
有線通信送受信部１３０は、フェムトセルユーザ回線５００およびゲートウエイ７００を介してサーバ８００と通信を行ったり、フェムトセルユーザ回線５００、ゲートウエイ７００およびセルラー網６００を介して公衆基地局４００と通信を行う。
記憶部１４０は、自基地局の情報であるフェムトセル情報およびフェムトセル１００に登録済みの端末の識別子を記憶する。フェムトセル情報はフェムトセルのチャネル情報を含んでいる。端末の識別子としては、端末の電話番号や端末のＥＳＮ（端末が持つ３２ビットの２進数で表される固有番号）等を用いることができる。
制御部１５０は、フェムトセル１００の各種制御を行う。
【００１７】
上記において、制御部１５０は、ゲスト端末３００の識別子を自基地局に登録し、ゲスト端末３００の自基地局へのハンドオーバ要求を、自基地局の情報（フェムトセル情報）を付加して公衆基地局４００経由でゲスト端末３００に送信するように制御する制御部に対応する。また、制御部１５０は、ゲスト端末３００の識別子を自基地局に登録し、自基地局の情報（フェムトセル情報）を公衆基地局４００経由でゲスト端末３００に送信するように制御する制御部に対応する。また、制御部１５０、アンテナ１１０および無線通信送受信部１２０は、登録済み端末２００から、ゲスト端末３００の識別子を含むゲスト端末３００の自基地局へのハンドオーバ要求を取得する取得部に対応する。また、制御部１５０、アンテナ１１０および無線通信送受信部１２０は、登録済み端末２００から、ゲスト端末３００の識別子を取得する取得部に対応する。
【００１８】
図３は本発明の移動体通信システムにおける端末（登録済み端末２００およびゲスト端末３００）の構成を示すブロック図である。登録済み端末２００およびゲスト端末３００は、アンテナ２１０と、無線送受信部２２０と、表示部２３０と、記憶部２４０と、基地局判定部２５０と、入力部２６０と、制御部２７０とを備える。
【００１９】
無線送受信部２２０は、基地局（フェムトセル１００や公衆基地局４００）と無線通信を行う。
表示部２３０は、待ち受け画面や、現在の端末の状況（電波受信状況、電池残量等)を表示する。
記憶部２４０は、電話帳等のユーザデータおよび基地情報等の制御データを記憶する。
基地局判定部２５０は、基地局情報（公衆基地局の基地局情報、フェムトセルの基地局情報）に基づいて、公衆基地局４００およびフェムトセル１００のどちらの基地局に接続しているかを判定する。
入力部２６０は、ユーザの入力操作に応じた情報を入力する。
制御部２７０は、端末の各種制御を行う。
【００２０】
［ゲスト端末の登録処理１］
図４は本発明の移動体通信システムにおける登録済み端末によるゲスト端末の登録処理１を示すフローチャートである。
図４のステップＳ１０１において、ゲスト端末がフェムトセル圏内に移動すると、次のステップＳ１０２では、ゲスト端末３００がフェムトセル圏内に移動してきたことを確認した登録済み端末２００のユーザが、登録済み端末２００を用いて、ゲスト端末３００のハンドオーバ要求操作を実行する。このハンドオーバ要求操作はゲスト端末３００の登録要求操作を兼ねており、このハンドオーバ要求操作により、次のステップＳ１０３では、ゲスト端末３００の識別子を含むゲスト端末ハンドオーバ要求が登録済み端末２００からフェムトセル１００に送信される。
【００２１】
図５は図４のステップＳ１０２のゲスト端末のハンドオーバ要求操作およびステップＳ１０３のゲスト端末ハンドオーバ要求の送信を示すフローチャートである。この図５のフローチャートは、登録済み端末２００がフェムトセル１００と接続しているときに起動され、登録済み端末２００のユーザ（フェムトセルユーザ）操作に基づいて端末２００にて実施される。
【００２２】
まず、図５のステップＳ２０１では、登録済み端末２００の表示部２３０に電話帳を表示する。このときの登録済み端末２００の表示画面例を図６（ａ）に示す。表示画面の上端部には、登録済み端末２００がフェムトセル１００に接続されている旨を分かり易く表示するマーク（このマークは、例えば家の形とＦｅｍｔｏという文字により構成される）が表示されている。次のステップＳ２０２では、フェムトセル１００に登録したいユーザ（図６（ａ）の場合、友人Ｂ）の選択状態におけるゲスト端末登録キーである特定のキー（例えば「０」キー）の押下を検知する。次のステップＳ２０３では、キー押下時に選択されていたユーザ（図６（ａ）の場合、友人Ｂ）をゲストユーザとして登録するか否かの確認画面を表示する。このときの登録済み端末２００の表示画面例を図６（ｂ）に示す。
【００２３】
次のステップＳ２０４では、上記確認画面において、『はい』が選択されたか、『いいえ』が選択されたかを判断し、『はい』が選択された場合にはステップＳ２０５に進み、『いいえ』が選択された場合にはそのまま終了する。ステップＳ２０５では、キー押下時に選択されていたユーザ（図６（ａ）の場合、友人Ｂ）の端末の識別子を記憶部２４０などから取得し、フェムトセル１００に送信して登録させる。そして、次のステップＳ２０６では、キー押下時に選択されていたユーザ（図６（ａ）の場合、友人Ｂ）の端末（すなわちゲスト端末）の識別子を含む、ゲスト端末ハンドオーバ要求を送信する。尚、ステップＳ２０５の登録処理はステップＳ２０６の送信と兼用しても良い。
【００２４】
図４における次のステップＳ１０４では、フェムトセル１００は、登録済み端末２００からのゲスト端末ハンドオーバ要求を受信し、ゲスト端末ハンドオーバ要求に含まれるゲスト端末３００の識別子を取得して記憶部１４０に保存する。このゲスト端末３００の識別子の記憶部１４０への保存により、ゲスト端末３００はフェムトセル１００に登録される。なお、ゲスト端末３００のフェムトセル１００への登録は、ゲスト端末３００がフェムトセル１００を継続的に使用する可能性が低いことを考慮して、予め設定した有効期限（例えば１日間）は保持し、有効期限が過ぎると自動的に消去するものとする。
【００２５】
次のステップＳ１０５では、フェムトセル１００は、フェムトセル情報（チャネル情報）を付加したゲスト端末ハンドオーバ要求をサーバ８００に送信する。次のステップＳ１０６，ステップＳ１０７ではそれぞれ、サーバ８００は、ゲスト端末ハンドオーバ要求からゲスト端末の識別子およびフェムトセル情報を取得する。次のステップＳ１０８では、サーバ８００は、取得したゲスト端末の識別子に基づいて、ゲスト端末が接続（位置登録）している公衆基地局をサーチする。
【００２６】
次のステップＳ１０９では、サーバ８００は、公衆基地局４００にフェムトセル情報を付加したゲスト端末ハンドオーバ要求を送信する。次のステップ１１０では、公衆基地局４００は、サーバ８００より受信したゲスト端末ハンドオーバ要求に含まれるゲスト端末３００の識別子に基づき、ゲスト端末３００にフェムトセル情報を付加したハンドオーバ要求を送信する。
【００２７】
次のステップＳ１１１では、ゲスト端末３００は、公衆基地局４００から受信したハンドオーバ要求からフェムトセル情報を取得する。次のステップＳ１１２では、ゲスト端末３００は、フェムトセル１００に自端末の識別子を含む接続要求を送信する。次のステップＳ１１３では、フェムトセル１００は、ゲスト端末３００から接続要求を受信し、その接続要求から取得したゲスト端末の識別子と、上記ステップＳ１０４で登録済み端末２００からのゲスト端末ハンドオーバ要求から取得したゲスト端末の識別子とが一致するか否かを判断する。この判断は、偶然同じチャネルをサーチした、フェムトセル１００に登録されていない端末がフェムトセル１００に接続する不具合を防止するために行うものである。この判断において、識別子が一致した場合、フェムトセル１００は、ステップＳ１１４に進んでゲスト端末３００に接続を許可する旨（接続ＯＫ）を送信し、識別子が一致しない場合、ステップＳ１１５に進んでゲスト端末４００に接続を許可しない旨（接続ＮＧ）を送信する。次のステップＳ１１６では、ゲスト端末３００は、接続が許可されたか否かを判断する。ここで、接続が許可された場合にはフェムトセル１００に接続して（言い換えれば、公衆基地局４００からフェムトセル１００にハンドオーバして）、フェムトセル１００との通信を開始し、接続が許可されなかった場合には、公衆基地局４００との通信を維持する。
【００２８】
次に、図４のゲスト端末の登録処理１の動作を図１に基づいて説明する。
まず、図１に（１）で示すように、公衆基地局４００と通信中（または待ち受け中）のゲスト端末３００がフェムトセル１００の圏内に移動してくる。このとき、ゲスト端末３００は、「フェムトセル１００に登録されていない」、「ゲスト端末の記憶部２４０に記憶している基地局情報ＰＲＬ（PRL：Preferred Roaming List）にフェムトセル１００のチャネル情報が登録されていない」という２つの理由から、フェムトセル１００にハンドオーバできない。
【００２９】
そこで、ゲスト端末３００をフェムトセル１００にハンドオーバさせたいフェムトセルユーザは、図１に（２）で示すように、ステップＳ１０２により、登録済み端末２００を用いて、ゲスト端末３００のハンドオーバ要求操作を実行し、それによりステップＳ１０３でゲスト端末３００の識別子を含むゲスト端末ハンドオーバ要求をフェムトセル１００に送信する。このゲスト端末ハンドオーバ要求を受信したフェムトセル１００は、ゲスト端末３００の識別子を登録し、それによりゲスト端末３００をフェムトセル１００に登録する。
【００３０】
次に、フェムトセル１００は、図１に（３）で示すように、ステップＳ１０５によりフェムトセル情報を付加したゲスト端末ハンドオーバ要求をサーバ８００に送信する。このゲスト端末ハンドオーバ要求を受信したサーバ８００は、ステップＳ１０６により取得したゲスト端末３００の識別子に基づいて、ステップＳ１０８によりゲスト端末が接続（位置登録）している公衆基地局をサーチし、ステップＳ１０９により、公衆基地局４００にフェムトセル情報を付加したゲスト端末ハンドオーバ要求を送信する。このゲスト端末ハンドオーバ要求を受信した公衆基地局４００は、図１に（４）で示すように、ステップＳ１１０によりゲスト端末ハンドオーバ要求に含まれるゲスト端末３００の識別子に基づき、ゲスト端末３００にフェムトセル情報を付加したハンドオーバ要求を送信する。
【００３１】
このハンドオーバ要求を受信したゲスト端末３００は、図１に（５）で示すように、ステップＳ１１１によりハンドオーバ要求からフェムトセル情報を取得してフェムトセル１００をサーチし、ステップＳ１１２によりフェムトセル１００に接続要求（ハンドオーバ要求）を送信する。この接続要求（ハンドオーバ要求）を受信したフェムトセル１００は、図１に（６）で示すように、ステップＳ１１３により接続要求から取得したゲスト端末の識別子と、上記ステップＳ１０４で登録済み端末２００からのゲスト端末ハンドオーバ要求から取得したゲスト端末の識別子とが一致するか否かを判断し、識別子が一致した場合には、ステップＳ１１４によりゲスト端末３００に接続を許可する旨（接続ＯＫ）を送信する。接続を許可する旨（接続ＯＫ）を受信したゲスト端末３００は、フェムトセル１００に接続（ハンドオーバ）する。
【００３２】
本発明の基地局（フェムトセル）によれば、ゲスト端末の登録処理１を実行することにより、ゲスト端末３００の識別子のフェムトセル１００への登録、ゲスト端末ハンドオーバ要求の公衆基地局４００への送信およびゲスト端末３００へのフェムトセル情報の送信を行うから、公衆基地局４００に接続されているゲスト端末３００の公衆基地局４００からフェムトセル１００へのハンドオーバを実現することができる。また、本発明の基地局（フェムトセル）によれば、登録済み端末２００においてゲスト端末３００のフェムトセル１００への登録およびゲスト端末ハンドオーバ要求の公衆基地局４００への送信を簡単な操作で行うことができる。
【００３３】
［ゲスト端末の登録処理２］
図７は本発明の移動体通信システムにおける登録済み端末によるゲスト端末の登録処理２を示すフローチャートである。上記ゲスト端末の登録処理１は、フェムトセルユーザが登録済み端末２００を用いてステップＳ１０２のゲスト端末３００のハンドオーバ要求操作を行うことにより、公衆基地局４００に接続しているゲスト端末３００を強制的にフェムトセル１００にハンドオーバさせるものであるが、このゲスト端末の登録処理２は、ゲスト端末３００のハンドオーバ要求を送信せずに、ゲスト端末３００をフェムトセル１００に登録し、フェムトセル情報（チャネル情報）をゲスト端末３００に送信するだけで、フェムトセル情報（チャネル情報）をＰＲＬに書き込まれたゲスト端末３００に公衆基地局４００およびフェムトセル１００のうち電波強度の強い方の基地局（フェムトセル圏内の場合、フェムトセル１００）を選択させ、それにより公衆基地局４００に接続しているゲスト端末３００を自然にフェムトセル１００にハンドオーバさせるものである。このようなゲスト端末の登録処理１とゲスト端末の登録処理２との相違点に基づき、図７のフローチャートは、図４のフローチャートにおけるステップＳ１０２，ステップＳ１０３，ステップＳ１０５，ステップＳ１０９，ステップ１１０をそれぞれ、ステップＳ１０２ａ，ステップＳ１０３ａ，ステップＳ１０５ａ，ステップＳ１０９ａ，ステップＳ１１０ａに置き換えている。
【００３４】
すなわち、図７のフローチャートにおいて、ゲスト端末がフェムトセル圏内に移動したときに進むステップＳ１０２ａでは、ゲスト端末３００がフェムトセル圏内に移動してきたことを確認した登録済み端末２００のユーザが、登録済み端末２００を用いて、ゲスト端末の登録要求操作を実行する。このゲスト端末の登録要求操作はゲスト端末の登録処理１と同様に図５のフローチャートにより行われる。このゲスト端末の登録要求操作により、次のステップＳ１０３ａでは、ゲスト端末の識別子が登録済み端末２００からフェムトセル１００に送信される。次のステップＳ１０４では、フェムトセル１００は、登録済み端末２００から送信されたゲスト端末３００の識別子を取得して記憶部１４０に保存する。このゲスト端末３００の識別子の記憶部１４０への保存により、ゲスト端末３００はフェムトセル１００に登録される。
【００３５】
次のステップＳ１０５ａでは、フェムトセル１００は、フェムトセル情報（チャネル情報）を付加したゲスト端末３００の識別子をサーバ８００に送信する。次のステップＳ１０６，ステップＳ１０７ではそれぞれ、サーバ８００は、ゲスト端末ハンドオーバ要求からゲスト端末３００の識別子およびフェムトセル情報を取得する。次のステップＳ１０８では、サーバ８００は、取得したゲスト端末３００の識別子に基づいて、ゲスト端末が接続（位置登録）している公衆基地局をサーチする。次のステップＳ１０９ａでは、サーバ８００は、公衆基地局４００にフェムトセル情報を付加したゲスト端末３００の識別子を送信する。次のステップ１１０ａでは、公衆基地局４００は、サーバ８００より受信したゲスト端末３００の識別子に基づき、ゲスト端末３００にフェムトセル情報を送信する。
【００３６】
次のステップＳ１１１では、ゲスト端末３００は、公衆基地局４００からフェムトセル情報を取得する。次のステップＳ１１２では、ゲスト端末３００は、フェムトセル情報（チャネル情報）を書き込まれたＰＲＬを参照して、電波強度の強い方の基地局であるフェムトセル１００に自端末の識別子を含む接続要求を送信する。次のステップＳ１１３では、フェムトセル１００は、ゲスト端末３００から接続要求を受信し、その接続要求から取得したゲスト端末の識別子と、上記ステップＳ１０４で登録済み端末２００から送信されて取得したゲスト端末の識別子とが一致するか否かを判断する。この判断は、偶然同じチャネルをサーチした、フェムトセル１００に登録されていない端末が、フェムトセル１００に接続する不具合を防止するために行うものである。この判断において、識別子が一致した場合、フェムトセル１００は、ステップＳ１１４に進んでゲスト端末３００に接続を許可する旨（接続ＯＫ）を送信し、識別子が一致しない場合、ステップＳ１１５に進んでゲスト端末４００に接続を許可しない旨（接続ＮＧ）を送信する。次のステップＳ１１６では、ゲスト端末３００は、接続が許可されたか否かを判断する。ここで、接続が許可された場合にはフェムトセル１００に接続して（言い換えれば、公衆基地局４００からフェムトセル１００にハンドオーバして）、フェムトセル１００との通信を開始し、接続が許可されなかった場合には、公衆基地局４００との通信を維持する。
【００３７】
本発明の基地局（フェムトセル）によれば、ゲスト端末の登録処理２を実行することにより、ゲスト端末３００の識別子のフェムトセル１００への登録およびゲスト端末３００へのフェムトセル情報の送信を行うから、公衆基地局４００に接続されているゲスト端末３００の公衆基地局４００からフェムトセル１００へのハンドオーバを実現することができる。また、本発明の基地局（フェムトセル）によれば、登録済み端末２００においてゲスト端末３００のフェムトセル１００への登録を簡単な操作で行うことができる。
【００３８】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部は論理的に矛盾しないように再配置可能であり、複数の構成部を１つに組み合わせたり、或いは分割したりすることが可能である。
【００３９】
なお、上述の実施形態では、移動体通信システムとして、ＣＤＭＡ２０００  １ｘ  ＥＶ−ＤＯシステムを想定して説明したが、本発明の適用範囲はかかる移動体通信システムのみに限られるものではなく、例えば、ＣＤＭＡ２０００  １ｘシステム、ＷｉＭＡＸ（ＩＥＥＥ８０２．１６）、ｉＢｕｒｓｔ（登録商標）、ＬＴＥ（Ｌｏｎｇ Ｔｅｒｍ Ｅｖｏｌｕｔｉｏｎ）、ＵＭＢ（Ｕｌｔｒａ Ｍｏｂｉｌｅ Ｂｒｏａｄｂａｎｄ）など、現在実用されている移動体通信システム及び将来的な実用が見込まれる移動体通信システムなど、あらゆる移動体通信システムに対応することが可能である。
【符号の説明】
【００４０】
１００  フェムトセル
１１０  アンテナ
１２０  無線通信送受信部
１３０  有線通信送受信部
１４０  記憶部
１５０  制御部１５０
２００  登録済み端末
２１０  アンテナ
２２０  無線送受信部
２３０  表示部
２４０  記憶部
２５０  基地局判定部
２６０  入力部
２７０  制御部
３００  ゲスト端末
４００  公衆基地局
５００  フェムトセルユーザ回線
６００  ＥＶ−ＤＯコアネットワーク（セルラー網）
７００  ゲートウエイ
８００  サーバ
【図１】
2010177924.tif 000003
【図２】
2010177924.tif 000004
【図３】
2010177924.tif 000005
【図４】
2010177924.tif 000006
【図５】
2010177924.tif 000007
【図６】
2010177924.tif 000008
【図７】
2010177924.tif 000009